(57)【要約】【課題】コンピュータが出力する映像信号の解像度を、インタフェース装置で設定する解像度設定方法の提供。【解決手段】コンピュータが出力する映像信号の解像度を、コンピュータ及び表示装置間に接続されたインタフェース装置で設定する解像度設定方法。表示装置の解像度情報を含む１又は複数種類の表示画面情報を記憶した第１記憶手段をインタフェース装置に設け、インタフェース装置は、接続された表示装置の表示画面情報を取り込み（Ｓ４）、取り込んだ表示画面情報に基づき、その表示画面情報及び第１記憶手段が記憶する表示画面情報から選択し（Ｓ８）、選択した表示画面情報をコンピュータに与える（Ｓ１８，２４）ようになっている。【選択図】        図２
2004170822.tif 000002
【特許請求の範囲】
【請求項１】
コンピュータが出力する映像信号の解像度を、前記コンピュータ及び表示装置間に接続されたインタフェース装置で設定する解像度設定方法であって、
表示装置の解像度情報を含む１又は複数種類の表示画面情報を記憶した第１記憶手段を前記インタフェース装置に設け、該インタフェース装置は、接続された表示装置の表示画面情報を取り込み、取り込んだ表示画面情報に基づき、該表示画面情報及び前記第１記憶手段が記憶する表示画面情報から選択し、選択した表示画面情報を前記コンピュータに与えることを特徴とする解像度設定方法。
【請求項２】
コンピュータが出力する映像信号の解像度を、前記コンピュータ及び表示装置間に接続されたインタフェース装置で設定する解像度設定方法であって、
前記コンピュータが読み取り可能な記憶手段を前記インタフェース装置に設け、前記インタフェース装置は、接続された表示装置の解像度情報を含む表示画面情報を取り込み、取り込んだ表示画面情報に基づき、新たに解像度情報を含む表示画面情報を作成し、作成した表示画面情報を前記記憶手段に記憶させることにより、該表示画面情報を前記コンピュータに与えることを特徴とする解像度設定方法。
【請求項３】
コンピュータが出力する映像信号の解像度を、前記コンピュータ及び表示装置間に接続されたインタフェース装置で設定する解像度設定方法であって、
表示装置の解像度情報を含む１又は複数種類の表示画面情報を記憶した第１記憶手段を前記インタフェース装置に設け、該インタフェース装置は、接続された表示装置の表示画面情報を取り込み、与えられた指示信号により、取り込んだ表示画面情報及び前記第１記憶手段が記憶する表示画面情報から選択し、選択した表示画面情報を前記コンピュータに与えることを特徴とする解像度設定方法。
【請求項４】
コンピュータが出力する映像信号の解像度を、前記コンピュータ及び表示装置間に接続されたインタフェース装置で設定する解像度設定方法であって、
表示装置の解像度情報を含む複数種類の表示画面情報を記憶した第１記憶手段を前記インタフェース装置に設け、該インタフェース装置は、与えられた指示信号により、前記第１記憶手段が記憶する表示画面情報から選択し、選択した表示画面情報を前記コンピュータに与えることを特徴とする解像度設定方法。
【請求項５】
前記コンピュータが読み取り可能な第２記憶手段を前記インタフェース装置に更に設け、該インタフェース装置は、選択した表示画面情報を前記第２記憶手段に書き込むことにより、該表示画面情報を前記コンピュータに与える請求項１，３，４の何れかに記載の解像度設定方法。
【請求項６】
コンピュータに接続する入力端子と、表示装置に接続する出力端子とを備え、前記入力端子に接続したコンピュータからの映像信号を、前記出力端子に接続した表示装置に表示すべくなしてあるインタフェース装置であって、
前記表示装置に接続する第１接続端子と、前記コンピュータに接続する第２接続端子と、表示装置の解像度情報を含む１又は複数種類の表示画面情報を記憶した第１記憶手段と、前記第１接続端子に接続した表示装置の表示画面情報を取り込む手段と、該手段が取り込んだ表示画面情報に基づき、該表示画面情報及び前記第１記憶手段が記憶する表示画面情報から選択する選択手段とを備え、該選択手段が選択した表示画面情報を、前記第２接続端子を通じて出力すべくなしてあることを特徴とするインタフェース装置。
【請求項７】
前記選択手段を外部から操作する手段を更に備え、該手段の操作に従って、前記選択手段は、表示画面情報を選択すべくなしてある請求項６記載のインタフェース装置。
【請求項８】
コンピュータに接続する入力端子と、表示装置に接続する出力端子とを備え、前記入力端子に接続したコンピュータからの映像信号を、前記出力端子に接続した表示装置に表示すべくなしてあるインタフェース装置であって、
前記コンピュータに接続する接続端子と、表示装置の解像度情報を含む複数種類の表示画面情報を記憶した第１記憶手段と、外部からの操作に従って、前記第１記憶手段が記憶する表示画面情報から選択する選択手段とを備え、該選択手段が選択した表示画面情報を、前記接続端子を通じて出力すべくなしてあることを特徴とするインタフェース装置。
【請求項９】
前記選択手段が選択した表示画面情報を記憶する第２記憶手段を更に備え、該第２記憶手段が記憶する表示画面情報を、前記第２接続端子又は接続端子を通じて出力すべくなしてある請求項６乃至８の何れかに記載のインタフェース装置。
【請求項１０】
コンピュータに接続する入力端子と、表示装置に接続する出力端子とを備え、前記入力端子に接続したコンピュータからの映像信号を、前記出力端子に接続した表示装置に表示すべくなしてあるインタフェース装置であって、
前記表示装置に接続する第１接続端子と、前記コンピュータに接続する第２接続端子と、前記第１接続端子に接続した表示装置の解像度情報を含む表示画面情報を取り込む手段と、該手段が取り込んだ表示画面情報に基づき、新たに解像度情報を含む表示画面情報を作成する手段と、該手段が作成した表示画面情報を記憶する手段とを備え、該手段が記憶した表示画面情報を、前記第２接続端子を通じて出力すべくなしてあることを特徴とするインタフェース装置。
【発明の詳細な説明】
【０００１】
【発明の属する技術分野】
本発明は、コンピュータが出力する映像信号の解像度（横方向の画素数×縦方向の画素数）を設定する解像度設定方法、及びコンピュータが出力する映像信号の解像度を設定するインタフェース装置に関するものである。
【０００２】
【従来の技術】
コンピュータとＬＣＤ（Ｌｉｑｕｉｄ  Ｃｒｙｓｔａｌ  Ｄｉｓｐｌａｙ），ＰＤＰ（Ｐｌａｓｍａ  ＤｉｓｐｌａｙＰａｎｅｌ），ＣＲＴ（Ｃａｔｈｏｄｅ  Ｒａｙ  Ｔｕｂｅ），ＥＬＤ（ＥｌｅｃｔｒｏＬｕｍｉｎｅｓｃｅｎｔ  Ｄｉｓｐｌａｙ）等の表示装置とを接続し、コンピュータからの映像信号を表示する場合、接続時又は起動時に、表示装置が保持する自身の固有情報であるＥＤＩＤ（ＥｘｔｅｎｄｅｄＤｉｓｐｌａｙ  Ｉｄｅｎｔｉｆｉｃａｔｉｏｎ  Ｄａｔａ）を、コンピュータが読み取り、コンピュータは、読み取ったＥＤＩＤに応じて、同期周波数及びＲＧＢ信号等を調整して、解像度変更及びカラー調整を行った映像信号を表示装置へ出力するようになっている。
【０００３】
ＥＤＩＤは、拡張ディスプレイＩＤとも呼ばれる１２８バイトのテーブルであり、ベンダ名（ＩＤ）、製品名（ＩＤ）、製造年月、ＥＤＩＤの版数、アナログ／ディジタルの別、表示エリアのサイズ、色補正の為の情報、解像度情報、シリアルナンバ及び対応周波数（ドットクロック、水平走査、垂直走査）等がＲＯＭに記録されている。
【０００４】
【特許文献１】
実開平０５−０６６７３１号公報
【特許文献２】
特開平０９−１３８６７４号公報
【特許文献３】
特開平１１−０１５４２５号公報
【特許文献４】
特開２０００−１１２４４７号公報
【特許文献５】
特開２００２−００６８１７号公報
【０００５】
【発明が解決しようとする課題】
ＬＣＤ，ＰＤＰ，ＥＬＤ等の軽量で設置形態を比較的自由に設定出来る表示装置では、表示画面を９０度回転させて設置し、縦方向に長いポートレート表示を行うことが可能である。
この場合、図５（ａ）に示すように、表示装置２０の走査方向が９０度変わるので、映像信号を表示する際の走査方向も、映像の上下左右関係を変えることなく、９０度変換（縦横変換）させる必要がある。
【０００６】
映像信号を縦横変換するソフトウェアとして、通称ピボットソフトが市販されているが、ソフトウェアによる縦横変換は、特に、動画表示においては高速な処理能力が必要である為、高価なコンピュータが必要となる。また、使用するアプリケーションソフト及びＯＳとの相性もあり、実際のシステムの中で作動させてみないと、仕様通りに作動するか判らないところもある。
本願出願人は、ソフトウェアによる縦横変換で発生する問題を解消する目的で、映像信号を表示する際の走査方向を、映像の上下左右関係を変えることなく、ハードウェアにより変換する技術を既に提案している（特願２００２−２９４１１６）。
【０００７】
ところが、図５（ｂ）に示すように、映像信号を表示する際の走査方向を、映像の上下左右関係を変えることなく、９０度変換させただけでは、表示装置２０には表示されない映像部分が生じ、映像信号が存在しない空白部分が生じるという問題がある。
従って、図５（ｃ）に示すように、コンピュータ１８に、表示装置２０の縦長表示に適した解像度で映像信号を出力させた上で、映像信号を表示する際の走査方向を変換する必要がある。
【０００８】
映像信号の解像度は、コンピュータ１８のＯＳ（Ｏｐｅｒａｔｉｎｇ  Ｓｙｓｔｅｍ）又はアプリケーションソフトを操作することで変更することが出来るが、ＯＳ及びアプリケーションソフトで変更出来る解像度は、前記ＥＤＩＤ中に記録された解像度に限定される。つまり、縦長表示用の解像度情報、具体的には、横長表示用解像度の縦横を入れ替えたＥＤＩＤを改めて用意しておく必要がある。
上述したように、ＥＤＩＤは表示装置内部に設けられたＲＯＭに記憶されている。上述したポートレート表示が予め想定される表示装置であれば、製造時に縦長表示用のＥＤＩＤを記録させておけば良いが、通常の表示装置には横長表示用のＥＤＩＤしか記録されていない。従って、通常の表示装置で上述したハードウェアによる縦横変換を実行する為には、何らかの方法で縦長表示用のＥＤＩＤをコンピュータ１８に提供しなければならない。
【０００９】
特許文献１の段落００１５には、スイッチを操作することにより、コンピュータ本体内のグラフィックコントローラの解像度を切換え指定するアダプタ装置が記載されている。
特許文献２の段落００１６〜００１９には、ビデオ信号が表示可能か否かを判定し、否のときは、表示設定内容（解像度又は周波数）を自動的に変更するディスプレイコントローラが記載されている。
特許文献３には、システム装置からの映像信号を表示し、ＥＤＩＤの読み出し、書き換え制御を行うことにより、システム装置の表示モードの切り替え制御を行うディスプレイ装置が記載されている。
【００１０】
特許文献４には、本体装置からの画像データが表示可能か否かを判断し、否と判断したときに、本体装置の表示モードの変更を指示する表示装置が記載されている。
特許文献５の段落００２６〜００２７には、頭部装着型表示装置が持つＥＤＩＤと、信号フォーマット変換器が持つＥＤＩＤとを比較し、双方が作動可能なＥＤＩＤを選択し、これをホストコンピュータに提供する表示システムが記載されている。
【００１１】
本発明は、上述したような事情に鑑みてなされたものであり、コンピュータが出力する映像信号の解像度を、インタフェース装置で設定する解像度設定方法を提供することを目的とする。
本発明は、また、コンピュータが出力する映像信号の解像度を設定し、設定した解像度の映像信号を表示装置に表示するインタフェース装置を提供することを目的とする。
【００１２】
【課題を解決するための手段】
第１発明に係る解像度設定方法は、コンピュータが出力する映像信号の解像度を、前記コンピュータ及び表示装置間に接続されたインタフェース装置で設定する解像度設定方法であって、表示装置の解像度情報を含む１又は複数種類の表示画面情報を記憶した第１記憶手段を前記インタフェース装置に設け、該インタフェース装置は、接続された表示装置の表示画面情報を取り込み、取り込んだ表示画面情報に基づき、該表示画面情報及び前記第１記憶手段が記憶する表示画面情報から選択し、選択した表示画面情報を前記コンピュータに与えることを特徴とする。
【００１３】
この解像度設定方法では、コンピュータが出力する映像信号の解像度を、コンピュータ及び表示装置間に接続されたインタフェース装置で設定する。表示装置の解像度情報を含む１又は複数種類の表示画面情報を記憶した第１記憶手段をインタフェース装置に設けておき、インタフェース装置は、接続された表示装置の表示画面情報を取り込み、取り込んだ表示画面情報に基づき、その表示画面情報及び第１記憶手段が記憶する表示画面情報から選択し、選択した表示画面情報を接続されたコンピュータに与える。
これにより、コンピュータが出力する映像信号の解像度を、インタフェース装置で設定する解像度設定方法を実現することが出来る。
【００１４】
第２発明に係る解像度設定方法は、コンピュータが出力する映像信号の解像度を、前記コンピュータ及び表示装置間に接続されたインタフェース装置で設定する解像度設定方法であって、前記コンピュータが読み取り可能な記憶手段を前記インタフェース装置に設け、前記インタフェース装置は、接続された表示装置の解像度情報を含む表示画面情報を取り込み、取り込んだ表示画面情報に基づき、新たに解像度情報を含む表示画面情報を作成し、作成した表示画面情報を前記記憶手段に記憶させることにより、該表示画面情報を前記コンピュータに与えることを特徴とする。
【００１５】
この解像度設定方法では、コンピュータが出力する映像信号の解像度を、コンピュータ及び表示装置間に接続されたインタフェース装置で設定する。コンピュータが読み取り可能な記憶手段をインタフェース装置に設けておき、インタフェース装置は、接続された表示装置の解像度情報を含む表示画面情報を取り込み、取り込んだ表示画面情報に基づき、新たに解像度情報を含む表示画面情報を作成する。インタフェース装置は、作成した表示画面情報を前記記憶手段に記憶させることにより、その表示画面情報を接続されたコンピュータに与える。
これにより、コンピュータが出力する映像信号の解像度を、予め解像度を含む表示画面情報を記憶しておくことなく、インタフェース装置で設定する解像度設定方法を実現することが出来る。
【００１６】
第３発明に係る解像度設定方法は、コンピュータが出力する映像信号の解像度を、前記コンピュータ及び表示装置間に接続されたインタフェース装置で設定する解像度設定方法であって、表示装置の解像度情報を含む１又は複数種類の表示画面情報を記憶した第１記憶手段を前記インタフェース装置に設け、該インタフェース装置は、接続された表示装置の表示画面情報を取り込み、与えられた指示信号により、取り込んだ表示画面情報及び前記第１記憶手段が記憶する表示画面情報から選択し、選択した表示画面情報を前記コンピュータに与えることを特徴とする。
【００１７】
この解像度設定方法では、コンピュータが出力する映像信号の解像度を、コンピュータ及び表示装置間に接続されたインタフェース装置で設定する。表示装置の解像度情報を含む１又は複数種類の表示画面情報を記憶した第１記憶手段をインタフェース装置に設けておき、インタフェース装置は、接続された表示装置の表示画面情報を取り込み、与えられた指示信号により、取り込んだ表示画面情報及び第１記憶手段が記憶する表示画面情報から選択する。インタフェース装置は、選択した表示画面情報を接続されたコンピュータに与える。
これにより、コンピュータが出力する映像信号の解像度を、インタフェース装置で手動により設定する解像度設定方法を実現することが出来る。
【００１８】
第４発明に係る解像度設定方法は、コンピュータが出力する映像信号の解像度を、前記コンピュータ及び表示装置間に接続されたインタフェース装置で設定する解像度設定方法であって、表示装置の解像度情報を含む複数種類の表示画面情報を記憶した第１記憶手段を前記インタフェース装置に設け、該インタフェース装置は、与えられた指示信号により、前記第１記憶手段が記憶する表示画面情報から選択し、選択した表示画面情報を前記コンピュータに与えることを特徴とする。
【００１９】
この解像度設定方法では、コンピュータが出力する映像信号の解像度を、コンピュータ及び表示装置間に接続されたインタフェース装置で設定する。表示装置の解像度情報を含む複数種類の表示画面情報を記憶した第１記憶手段をインタフェース装置に設けておき、インタフェース装置は、与えられた指示信号により、第１記憶手段が記憶する表示画面情報から選択し、選択した表示画面情報を接続されたコンピュータに与える。
これにより、コンピュータが出力する映像信号の解像度を、インタフェース装置で手動により設定する解像度設定方法を実現することが出来る。
【００２０】
第５発明に係る解像度設定方法は、前記コンピュータが読み取り可能な第２記憶手段を前記インタフェース装置に更に設け、該インタフェース装置は、選択した表示画面情報を前記第２記憶手段に書き込むことにより、該表示画面情報を前記コンピュータに与えることを特徴とする。
【００２１】
この解像度設定方法では、接続されたコンピュータが読み取り可能な第２記憶手段をインタフェース装置に更に設けておき、インタフェース装置は、選択した表示画面情報を第２記憶手段に書き込むことにより、その表示画面情報を接続されたコンピュータに与える。
これにより、コンピュータが出力する映像信号の解像度を、インタフェース装置で設定する解像度設定方法を実現することが出来る。
【００２２】
第６発明に係るインタフェース装置は、コンピュータに接続する入力端子と、表示装置に接続する出力端子とを備え、前記入力端子に接続したコンピュータからの映像信号を、前記出力端子に接続した表示装置に表示すべくなしてあるインタフェース装置であって、前記表示装置に接続する第１接続端子と、前記コンピュータに接続する第２接続端子と、表示装置の解像度情報を含む１又は複数種類の表示画面情報を記憶した第１記憶手段と、前記第１接続端子に接続した表示装置の表示画面情報を取り込む手段と、該手段が取り込んだ表示画面情報に基づき、該表示画面情報及び前記第１記憶手段が記憶する表示画面情報から選択する選択手段とを備え、該選択手段が選択した表示画面情報を、前記第２接続端子を通じて出力すべくなしてあることを特徴とする。
【００２３】
このインタフェース装置では、入力端子がコンピュータに接続し、出力端子が表示装置に接続し、入力端子に接続したコンピュータからの映像信号を、出力端子に接続した表示装置に表示する。第接続端子が表示装置に接続し、第２接続端子がコンピュータに接続し、第１記憶手段が、表示装置の解像度情報を含む１又は複数種類の表示画面情報を記憶している。取り込む手段が、第１接続端子に接続した表示装置の表示画面情報を取り込み、その取り込んだ表示画面情報に基づき、選択手段が、その取り込んだ表示画面情報及び第１記憶手段が記憶する表示画面情報から選択し、選択手段が選択した表示画面情報を、第２接続端子を通じて出力する。
これにより、コンピュータが出力する映像信号の解像度を設定し、設定した解像度の映像信号を表示装置に表示するインタフェース装置を実現することが出来る。
【００２４】
第７発明に係るインタフェース装置は、前記選択手段を外部から操作する手段を更に備え、該手段の操作に従って、前記選択手段は、表示画面情報を選択すべくなしてあることを特徴とする。
【００２５】
このインタフェース装置では、選択手段を外部から操作する手段を更に備え、操作する手段の操作に従って、選択手段は、表示画面情報を選択するので、コンピュータが出力する映像信号の解像度を手動により設定し、設定した解像度の映像信号を表示装置に表示するインタフェース装置を実現することが出来る。
【００２６】
第８発明に係るインタフェース装置は、コンピュータに接続する入力端子と、表示装置に接続する出力端子とを備え、前記入力端子に接続したコンピュータからの映像信号を、前記出力端子に接続した表示装置に表示すべくなしてあるインタフェース装置であって、前記コンピュータに接続する接続端子と、表示装置の解像度情報を含む複数種類の表示画面情報を記憶した第１記憶手段と、外部からの操作に従って、前記第１記憶手段が記憶する表示画面情報から選択する選択手段とを備え、該選択手段が選択した表示画面情報を、前記接続端子を通じて出力すべくなしてあることを特徴とする。
【００２７】
このインタフェース装置では、入力端子がコンピュータに接続し、出力端子が表示装置に接続し、入力端子に接続したコンピュータからの映像信号を、出力端子に接続した表示装置に表示する。接続端子がコンピュータに接続し、第１記憶手段が、表示装置の解像度情報を含む複数種類の表示画面情報を記憶している。選択手段が、外部からの操作に従って、第１記憶手段が記憶する表示画面情報から選択し、選択手段が選択した表示画面情報を、接続端子を通じて出力する。
これにより、コンピュータが出力する映像信号の解像度を手動により設定し、設定した解像度の映像信号を表示装置に表示するインタフェース装置を実現することが出来る。
【００２８】
第９発明に係るインタフェース装置は、前記選択手段が選択した表示画面情報を記憶する第２記憶手段を更に備え、該第２記憶手段が記憶する表示画面情報を、前記第２接続端子又は接続端子を通じて出力すべくなしてあることを特徴とする。
【００２９】
このインタフェース装置では、第２記憶手段が、選択手段が選択した表示画面情報を記憶し、第２記憶手段が記憶する表示画面情報を、第２接続端子又は接続端子を通じて出力するので、コンピュータが出力する映像信号の解像度を設定し、設定した解像度の映像信号を表示装置に表示するインタフェース装置を実現することが出来る。
【００３０】
第１０発明に係るインタフェース装置は、コンピュータに接続する入力端子と、表示装置に接続する出力端子とを備え、前記入力端子に接続したコンピュータからの映像信号を、前記出力端子に接続した表示装置に表示すべくなしてあるインタフェース装置であって、前記表示装置に接続する第１接続端子と、前記コンピュータに接続する第２接続端子と、前記第１接続端子に接続した表示装置の解像度情報を含む表示画面情報を取り込む手段と、該手段が取り込んだ表示画面情報に基づき、新たに解像度情報を含む表示画面情報を作成する手段と、該手段が作成した表示画面情報を記憶する手段とを備え、該手段が記憶した表示画面情報を、前記第２接続端子を通じて出力すべくなしてあることを特徴とする。
【００３１】
このインタフェース装置では、入力端子がコンピュータに接続し、出力端子が表示装置に接続し、入力端子に接続したコンピュータからの映像信号を、出力端子に接続した表示装置に表示する。第１接続端子が表示装置に接続し、第２接続端子がコンピュータに接続する。取り込む手段が、第１接続端子に接続した表示装置の解像度情報を含む表示画面情報を取り込み、その取り込んだ表示画面情報に基づき、作成する手段が、新たに解像度情報を含む表示画面情報を作成する。記憶する手段が、その作成した表示画面情報を記憶し、その記憶した表示画面情報を、第２接続端子を通じて出力する。
これにより、予め解像度を含む表示画面情報を記憶しておく記憶手段を備えることなく、コンピュータが出力する映像信号の解像度を設定し、設定した解像度の映像信号を表示装置に表示するインタフェース装置を実現することが出来る。
【００３２】
【発明の実施の形態】
以下に、本発明の実施の形態を、それを示す図面に基づき説明する。
図１は、本発明に係る解像度設定方法及び映像変換方法を実行する本発明に係るインタフェース装置の構成を示すブロック図である。このインタフェース装置１９ａは、パーソナルコンピュータ（以下ＰＣと記す）１７と接続するＤＶＩ（Ｄｉｇｉｔａｌ  Ｖｉｓｕａｌ  Ｉｎｔｅｒｆａｃｅ）コネクタ１と、ＤＶＩコネクタ１の入力端子を通じて入力された映像信号であるＴＭＤＳ（Ｔｒａｎｓｉｔｉｏｎ  Ｍｉｎｉｍｉｚｅｄ  Ｄｉｆｆｅｒｅｎｔｉａｌ  Ｓｉｇｎａｌｉｎｇ）信号を受信し、受信したＴＭＤＳ信号をＴＴＬ（Ｔｒａｎｓｉｓｔｏｒ−Ｔｒａｎｓｉｓｔｏｒ  Ｌｏｇｉｃ）信号に変換するＴＭＤＳレシーバ５と、ＴＭＤＳレシーバ５が変換したＴＴＬ信号を与えられ、与えられたＴＴＬ信号が構成する映像信号（を表示する際）の走査方向を、映像の上下左右関係を変えることなく、９０度変換させる縦横変換ＡＳＩＣ（Ａｐｐｌｉｃａｔｉｏｎ  Ｓｐｅｃｉｆｉｃ  ＩＣ）６（変換する手段）とを備えている。
【００３３】
このインタフェース装置１９ａは、また、縦横変換ＡＳＩＣ６に接続されたメモリ８と、縦横変換ＡＳＩＣ６が走査方向を、映像の上下左右関係を変えることなく、９０度変換させた映像信号であるＴＴＬ信号を与えられ、ＴＭＤＳ信号に変換するＴＭＤＳトランスミッタ７と、モニタ１６（表示装置）と接続し、ＴＭＤＳトランスミッタ７が変換したＴＭＤＳ信号をモニタ１６へ出力する為の出力端子を有するＤＶＩコネクタ４とを備えている。
【００３４】
このインタフェース装置１９ａは、また、マイクロプロセッサ１３と、モニタ１６にＤＶＩコネクタ４を通じて接続したときに、モニタ１６側の上述したＥＤＩＤ（表示画面情報）を得る為のＤＤＣ（Ｄｉｓｐｌａｙ  Ｄａｔａ  Ｃｈａｎｎｅｌ）用の電源ＤＤＣ５Ｖと、マイクロプロセッサ１３がモニタ１６側のＥＤＩＤを得る為のクロックを送る信号線ＳＣＬ Ｍ（Ｓｅｒｉａｌ  Ｃｌｏｃｋ Ｍ）と、そのＥＤＩＤを得る為の信号線ＳＤＡ Ｍ（Ｓｅｒｉａｌ  ＤＡｔａ Ｍ）（第１接続端子）と、マイクロプロセッサ１３及びモニタ１６間でホットプラグを送受信する為の信号線ＨＰＤ Ｍとを備えている。
【００３５】
このインタフェース装置１９ａは、また、マイクロプロセッサ１３が選択したＥＤＩＤを記憶するＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）２（第２記憶手段）と、１又は複数種類のＥＤＩＤを記憶しているＥＥＰＲＯＭ１５（第１記憶手段）と、モニタ１６から得たＥＤＩＤ及びＥＥＰＲＯＭ１５が記憶するＥＤＩＤから手動で選択する為の選択キー１４とを備えている。マイクロプロセッサ１３及びＥＥＰＲＯＭ２間には、ＥＥＰＲＯＭ２への書き込み禁止状態を設定する為の信号線が接続されている。選択キー１４は、モニタ１６から得たＥＤＩＤを指定する状態、ＥＥＰＲＯＭ１５が記憶する個々のＥＤＩＤを指定する状態、及びＥＤＩＤを指定しない状態を切り替える。
【００３６】
このインタフェース装置１９ａは、また、ＰＣ１７にＤＶＩコネクタ１を通じて接続したときに、ＰＣ１７側から得たＤＤＣ用の電源ＤＤＣ５Ｖを、マイクロプロセッサ１３からの制御により、ホットプラグとしてＰＣ１７側へ返送する為のスイッチ１２と、ＥＥＰＲＯＭ２の記憶内容を読み書きする為のクロックを送る信号線ＳＣＬ（Ｓｅｒｉａｌ  Ｃｌｏｃｋ）と、その記憶内容を読み書きする為の信号線ＳＤＡ（Ｓｅｒｉａｌ  ＤＡｔａ）とを備えている。
【００３７】
信号線ＳＣＬ，ＳＤＡは、マイクロプロセッサ１３に接続する信号線ＳＣＬ ＭＰ，ＳＤＡ ＭＰと、ＰＣ１７に接続すべくＤＶＩコネクタ１に接続する信号線ＳＣＬ ＰＣ，ＳＤＡ ＰＣ（第２接続端子）とにそれぞれ分岐している。
マイクロプロセッサ１３に接続する信号線ＳＣＬ ＭＰ，ＳＤＡ ＭＰの中途には、マイクロプロセッサ１３からの書き込み／読み出し選択信号によりそれぞれオン／オフするスイッチ９が設けられている。ＤＶＩコネクタ１に接続する信号線ＳＣＬ ＰＣ，ＳＤＡ ＰＣの中途には、マイクロプロセッサ１３からの書き込み／読み出し選択信号のインバータ１１による反転信号により、それぞれオフ／オンするスイッチ１０が設けられている。スイッチ９がオンのときは、スイッチ１０はオフに、スイッチ９がオフのときは、スイッチ１０はオンになる。
【００３８】
以下に、このような構成のインタフェース装置１９ａの動作を、それを示す図２，３のフローチャートを参照しながら説明する。
ＰＣ１７を立ち上げる時点でインタフェース装置１９ａのＥＤＩＤが設定されていなければならないので、ＰＣ１７を立ち上げる前に、インタフェース装置１９ａとモニタ１６とを接続する。
マイクロプロセッサ（以下ＭＰと記す）１３は、図示しない電源がオンされ、ＤＶＩコネクタ４とモニタ１６とが接続され、インタフェース装置１９ａからＤＤＣ５Ｖがモニタ１６に供給され、モニタ１６からホットプラグが返送されると、モニタ１６と接続されたと判定し（Ｓ２）、モニタ１６が内蔵するＲＯＭからＥＤＩＤを読み込む（取り込む）（Ｓ４）。
【００３９】
次に、ＭＰ１３は、読み込んだＥＤＩＤ（Ｓ４）に含まれる解像度から、モニタ１６を縦長表示する際の最適な解像度を判定し（Ｓ６）、ＥＥＰＲＯＭ１５に記憶されたＥＤＩＤ及び読み込んだＥＤＩＤ（Ｓ４）から、判定した解像度（Ｓ６）と同一又は最も近い解像度を含むＥＤＩＤを選択する（Ｓ８）。
【００４０】
ここで、ＭＰ１３で判定される縦長表示する際に最適な解像度とは、モニタ１６から読み込まれたＥＤＩＤに含まれる解像度の縦方向の解像度と横方向の解像度とを入れ替えたものである。例えば、モニタ１６が所謂ＸＧＡ（ｅＸｔｅｎｄｅｄ  Ｇｒａｐｈｉｃｓ  Ａｒｒａｙ；一般的な解像度の呼称）の解像度であったとすると、ＥＤＩＤには横画素数１０２４ピクセル、縦画素数７６８ピクセルと記録されている。この場合、縦長表示する際に最適な解像度は、横画素数７６８ピクセル、縦画素数１０２４ピクセルとなる。
【００４１】
近年のコンピュータ用モニタの解像度として一般的に普及しているのは、上記ＸＧＡを含めて、ＶＧＡ，ＳＶＧＡ，ＳＸＧＡとそれぞれ呼称される解像度である。ＶＧＡは、横画素数６４０ピクセル、縦画素数４８０ピクセルであり、ＳＶＧＡは、横画素数８００ピクセル、縦画素数６００ピクセルであり、ＳＸＧＡは、横画素数１２８０ピクセル、縦画素数１０２４ピクセルである。
従って、ＥＥＰＲＯＭ１５には、これら一般的な解像度の横解像度と縦解像度とを入れ替えたＥＤＩＤを記憶させておけば良いことになる。
また、ＭＰ１３が、読み込んだＥＤＩＤに含まれる解像度の横解像度と縦解像度とを入れ替え、新たなＥＤＩＤを作成して、ＥＥＰＲＯＭ２に記憶させるようにすることも可能である。この場合、縦長表示用のＥＤＩＤを記憶させるＥＥＰＲＯＭ１５は不要である。
【００４２】
ＭＰ１３は、ＥＤＩＤを選択した（Ｓ８）後、スイッチ９をオンに、スイッチ１０をオフにし（Ｓ１０）、次いで、ＥＥＰＲＯＭ２の書き込み禁止状態を解除する（Ｓ１２）。
次に、ＭＰ１３は、ＥＥＰＲＯＭ１５に記憶されたＥＤＩＤ及び読み込んだＥＤＩＤ（Ｓ４）から、選択キー１４により指定されたＥＤＩＤがあるか否かを判定し（Ｓ１４）、指定されたＥＤＩＤがあれば、そのＥＤＩＤを選択する（Ｓ１６）。
次に、ＭＰ１３は、選択したＥＤＩＤ（Ｓ８又はＳ１６）をＥＥＰＲＯＭ２に書き込んだ（Ｓ１８）後、ＥＥＰＲＯＭ２を書き込み禁止状態に設定する（Ｓ２０）。次いで、スイッチ９をオフに、スイッチ１０をオンにして、ＥＥＰＲＯＭ２への接続状態を復帰させる（Ｓ２２）。
【００４３】
ＤＶＩコネクタ１とＰＣ１７とが接続されている場合、ＭＰ１３は、選択したＥＤＩＤをＥＥＰＲＯＭ２に書き込み、ＥＥＰＲＯＭ２を書き込み禁止状態に設定し、ＥＥＰＲＯＭ２への接続状態を復帰させた（Ｓ２２）後、ホットプラグをＰＣ１７へ返送し、ＰＣ１７と電気的に接続する（Ｓ２４）。
ＰＣ１７は、起動する際、モニタ１６に接続した場合と同様に、ＥＥＰＲＯＭ２に記憶されたＥＤＩＤを読み出し（Ｓ２６）、読み出したＥＤＩＤに応じて、同期周波数及びＲＧＢ信号等を調整して、解像度変更及びカラー調整を行った映像信号の出力を開始する。
【００４４】
インタフェース装置１９ａでは、ＰＣ１７が出力した映像信号をＤＶＩコネクタ１経由でＴＭＤＳレシーバ５が受信し始め（Ｓ２８）、ＴＭＤＳレシーバ５は、受信した映像信号をＴＭＤＳ信号からＴＴＬ信号に変更して、縦横変換ＡＳＩＣ６に与える。縦横変換ＡＳＩＣ６は、与えられた映像信号をモニタ１６に表示する際の走査方向が、映像の上下左右関係を変えることなく、９０度変化するように、メモリ８の書き込み／読み出しを操作することにより映像信号を変換し、変換した映像信号をトランスミッタ７に与える。トランスミッタ７は、与えられた映像信号をＴＴＬ信号からＴＭＤＳ信号に変換して、ＤＶＩコネクタ４経由でモニタ１６へ出力する（Ｓ３０）。
尚、縦横変換ＡＳＩＣ６の、映像信号を表示する際の走査方向を変換する動作の詳細は、特願２００２−２９４１１６に詳述してあるので、説明を省略する。
【００４５】
以上により、図４に示すように、インタフェース装置１９ａは、ＰＣ１７（コンピュータ１８）にモニタ１６（表示装置２０）の縦長表示に適した解像度を認識させ、映像信号を表示する際の走査方向を、映像の上下左右関係を変えることなく、９０度変換するので、モニタ１６には、縦横変換された映像を、はみ出すことなく、また、映像信号が存在しない空白部分を生じることなく表示することが出来る。
【００４６】
インタフェース装置は、図示しない電源がオフされ終了となる迄（Ｓ３２）、映像信号を表示する際の走査方向を変換し、変換した映像信号を出力し（Ｓ３０）、図示しない電源がオフされ終了すると（Ｓ３２）、モニタ１６との電気的な接続を切断し（Ｓ３４）、ＰＣ１７との電気的な接続を切断して（Ｓ３６）終了する。
【００４７】
尚、ＥＥＰＲＯＭ２を設けることなく、ＭＰ１３が選択したＥＤＩＤを、ＰＣ１７が読み出し出来るようにしても良い。例えば、ＭＰ１３が選択したＥＤＩＤのみ、ＰＣ１７が読み出せるように、ＥＥＰＲＯＭ１５を設定したり、ＭＰ１３がモニタ１６からのＥＤＩＤを選択したときは、ＰＣ１７がモニタ１６から直接読み出せるように構成しても良い。
また、ＭＰ１３はモニタ１６からＥＤＩＤを読み出さず、ＥＥＰＲＯＭ１５に記憶させたＥＤＩＤから、選択キー１４により手動で選択するようにしても良い。この場合は、モニタ１６からＥＤＩＤを読み出す為の信号線ＳＣＬ Ｍ、ＳＤＡ Ｍは不要である。
【００４８】
【発明の効果】
第１，５発明に係る解像度設定方法によれば、コンピュータが出力する映像信号の解像度を、インタフェース装置で設定する解像度設定方法を実現することが出来る。
【００４９】
第２発明に係る解像度設定方法によれば、コンピュータが出力する映像信号の解像度を、予め解像度を含む表示画面情報を記憶しておくことなく、インタフェース装置で設定する解像度設定方法を実現することが出来る。
【００５０】
第３，４発明に係る解像度設定方法によれば、コンピュータが出力する映像信号の解像度を、インタフェース装置で手動により設定する解像度設定方法を実現することが出来る。
【００５１】
第６，９発明に係るインタフェース装置によれば、コンピュータが出力する映像信号の解像度を設定し、設定した解像度の映像信号を表示装置に表示するインタフェース装置を実現することが出来る。
【００５２】
第７，８発明に係るインタフェース装置によれば、コンピュータが出力する映像信号の解像度を手動により設定し、設定した解像度の映像信号を表示装置に表示するインタフェース装置を実現することが出来る。
【００５３】
第１０発明に係るインタフェース装置によれば、予め解像度を含む表示画面情報を記憶しておく記憶手段を備えることなく、コンピュータが出力する映像信号の解像度を設定し、設定した解像度の映像信号を表示装置に表示するインタフェース装置を実現することが出来る。
【図面の簡単な説明】
【図１】本発明に係る解像度設定方法及び映像変換方法を実行する本発明に係るインタフェース装置の構成を示すブロック図である。
【図２】本発明に係るインタフェース装置の動作を示すフローチャートである。
【図３】本発明に係るインタフェース装置の動作を示すフローチャートである。
【図４】本発明に係るインタフェース装置の動作を示す説明図である。
【図５】表示装置の縦長表示を説明する為の説明図である。
【符号の説明】
１，４  ＤＶＩコネクタ
２  ＥＥＰＲＯＭ（第２記憶手段、記憶手段、記憶する手段）
６  縦横変換ＡＳＩＣ
８  メモリ
９，１０，１２  スイッチ
１３  マイクロプロセッサ（ＭＰ）
１４  選択キー（外部から操作する手段）
１５  ＥＥＰＲＯＭ（第１記憶手段）
１６  モニタ（表示装置）
１７  パーソナルコンピュータ（ＰＣ）
１９ａ  インタフェース装置
ＤＤＣ５Ｖ  ＤＤＣ用の電源
ＳＤＡ Ｍ  信号線（第１接続端子）
ＳＤＡ ＰＣ  信号線（第２接続端子、接続端子）
ＳＣＬ Ｍ，ＳＣＬ ＭＰ，ＳＣＬ ＰＣ  （クロック）信号線
ＳＤＡ，ＳＤＡ ＭＰ  信号線
【図１】
2004170822.tif 000003
【図２】
2004170822.tif 000004
【図３】
2004170822.tif 000005
【図４】
2004170822.tif 000006
【図５】
2004170822.tif 000007